(57)【要約】      （修正有）【課題】高所での狭いＨ鋼管への取り付けが頗る簡単に行えて、ジョイントプレート、ガイドピース、エレクションピース、吊りピースなどの突起体や溶接ビートをより簡単に切断することができる有用な移動式切断機を提供する。【解決手段】門型に形成された基体１と、基体１に組み付けられた切断手段と、切断手段及び基体１を変位自在に移動せしめる移動手段とを備える。基体１には、一対のプーリー４，４と、プーリー４，４に巻回される切断手段と、プーリー４，４を駆動せしめるモーター５とを備える。移動手段は、基体１を貫通すべく取り付けられた一対のシリンダ３ａ，３ａと、シリンダ３ａ，３ａを摺動自在に支持するガイドレール３ｂ，３ｂと、ガイドレール３ｂ，３ｂの長手方向両遊端に連結された取付アーム３ｃ、３ｃとを備えている。取付アーム３ｃ，３ｃは、下端側がコ字状を呈しており、左右両端からボルト３ｄ、３ｄにて締め付けることにより、Ｈ鋼管への取り付けが容易にできる。【選択図】図２
0003135278.tif 000002
【実用新案登録請求の範囲】
【請求項１】
鉄骨構造又は鋼管コンクリート構造におけるＨ鋼管柱などの被溶接金属の溶接部若しくは切断部に沿って配設される移動手段と、該移動手段に変位自在に配設された基体と、該基体に組み付けられた回転式カッター等の切断手段及び／又は駆動モーターとを備えてなる移動式切断機において、
前記移動手段は、基体を摺動自在に支持するためのガイドレールと、一端側が該ガイドレールに連結され他端側が前記被溶接金属に着脱自在に保持される取付アームとを備えたことを特徴とする移動式切断機。
【考案の詳細な説明】
【技術分野】
【０００１】
本考案は、主として溶接ビードを切断するために使用される移動式切断機に関し、更に詳しくは、鉄骨構造又は鉄筋コンクリート構造における鉄骨柱などの接続部に突設されるジョイントプレート、ガイドピース、吊りピース若しくはエレクションピース等の突起体や溶接ビートを簡単かつ平滑に切断することができる有用な移動式切断機の改良に関する。
【背景技術】
【０００２】
従来、斯かる移動式切断機としては、例えば、鉄骨構造における鉄骨柱等の固定部に着脱自在に取り付けされるレールガイドと、該レールガイドに取り付けられた走行レールと、該走行レールに摺動自在に取り付けられてガイドピース、吊りピース或いはエレクションピース等の突起物を切断せしめる切断手段とを備えている（特許文献１参照）。
【特許文献１】特開２００６−２１２６５号公報
【考案の開示】
【考案が解決しようとする課題】
【０００３】
しかしながら、上述した従来の切断機にあっては、バーナーで切断する手間が省けると共に、煙、火炎が発生してしまうなどの危惧をも解消できるといった利点を有するものの、重くて高所での狭いＨ鋼管への取り付け、設置に余儀なくなれており、もっと手軽に設置できる移動式切断機が要望されている。
【０００４】
本考案はこのような従来の問題点及び要望に鑑みてなされたもので、高所での狭いＨ鋼管への取り付けが頗る簡単に行えて、ジョイントプレート、ガイドピース、エレクションピース、吊りピースなどの突起体や溶接ビートをより簡単に切断することができる有用な移動式切断機を提供することを目的としたものである。
【課題を解決するための手段】
【０００５】
上述の如き従来の問題点を解決し、所期の目的を達成するため本考案の要旨とする構成は、鉄骨構造又は鋼管コンクリート構造におけるＨ鋼管柱などの被溶接金属の溶接部若しくは切断部に沿って配設される移動手段と、該移動手段に変位自在に配設された基体と、該基体に組み付けられた回転式カッター等の切断手段及び／又は駆動モーターとを備えてなる移動式切断機において、前記移動手段は、基体を摺動自在に支持するためのガイドレールと、一端側が該ガイドレールに連結され他端側が前記被溶接金属に着脱自在に保持される取付アームとを備えてなる移動式切断機に存する。
【考案の効果】
【０００６】
前記移動手段が、基体を摺動自在に支持するためのガイドレールと、一端側が該ガイドレールに連結され他端側が前記被溶接金属に着脱自在に保持される取付アームとを備えたことによって、従来に比して軽量である分、高所での狭いＨ鋼管への取り付けが頗る簡単に行えて、ジョイントプレート、ガイドピース、エレクションピース、吊りピースなどの突起体や溶接ビートをより簡単に切断することができるといった効果を奏する。
【考案を実施するための最良の形態】
【０００７】
鉄骨構造又は鋼管コンクリート構造におけるＨ鋼管柱などの被溶接金属の溶接部若しくは切断部に沿って配設される移動手段と、該移動手段に変位自在に配設された基体と、該基体に組み付けられた回転式カッター等の切断手段及び／又は駆動モーターとを備え、前記移動手段は、基体を摺動自在に支持するためのガイドレールと、一端側が該ガイドレールに連結され他端側が前記被溶接金属に着脱自在に保持される取付アームとを備えるのが良い。
【実施例】
【０００８】
次に、本考案に係る移動式切断機の実施の一例を図面を参照しながら説明する。図中Ａは、本考案に係る移動式切断機であり、この移動式切断機Ａは、図１に示すように、門型に形成された基体１と、該基体１に組み付けられた切断手段２と、該切断手段２及び前記基体１を変位自在に移動せしめる移動手段３とを備えている。
【０００９】
基体１は、門型を呈しており、一対のプーリー４，４と、該プーリー４，４に巻回される切断手段２と、前記プーリー４，４を駆動せしめるモーター５とを備えている。
【００１０】
また、切断手段２としては、例えば、バンドソーやサンダー等の回転式カッターが挙げられ、駆動モーター５の回転に連動してプーリー４，４が回動することによりエレクションピース等の突起体や溶接ビードを切断することができる。
【００１１】
一方、移動手段３は、図２に示すように、基体１を貫通すべく取り付けられた一対のシリンダ３ａ，３ａと、該シリンダ３ａ，３ａを摺動自在に支持するガイドレール３ｂ，３ｂと、該ガイドレール３ｂ，３ｂの長手方向両遊端に連結された取付アーム３ｃ、３ｃとを備えている。
【００１２】
取付アーム３ｃ，３ｃは、下端側がコ字状を呈しており、左右両端からボルト３ｄ、３ｄにて締め付けることにより、Ｈ鋼管への取り付けが容易にできるようになっている。
【００１３】
このように構成される本実施例の移動式切断機Ａは、切断したいエレクションピース等の突起体や溶接ビードの被溶接金属の溶接部に対し、前記ガイドレール３ｂ，３ｂを平行にした状態で取り付けアーム３ｃ，３ｃをＨ鋼管等に螺合するだけの簡単操作で滑動状態にセットすることができる。
【００１４】
次いで、切断手段２の高さ調整をした後、モーター５のスイッチを入れ、同切断手段２を高速に回転せしめた状態で切断作業を開始する。次いで、手で切断手段２を移動させながら、換言すれば、前記ガイドレール３ｂ，３ｂの長手方向に沿って基体１を移動させながら切断手段２で突起体や溶接ブレードを根本から平滑（フラット）に切断することができる。
【００１５】
また、回転式カッター等の切断手段２が破断したり、また、ベース異常が発生した時にはセンサー（図示せず）が作動して駆動モーター５などを停止するように安全性についても考慮されていることは云うまでもない。
【００１６】
このように本考案の移動式切断機では、軽量でＨ鋼、鉄筋柱、鉄筋円柱等のフランジにでも簡単にセッティングできるため、従来に比して切断作業条件が大幅に改善されるものである。
【００１７】
尚、本考案の移動式切断機は、本実施例に限定されることなく、本考案の目的の範囲内で自由に設計変更できるものであり、本考案はそれらの全てを包摂するものである。
【図面の簡単な説明】
【００１８】
【図１】本考案に係る移動式切断機を示す正面図である。
【図２】同移動式切断機の平面図である。
【図３】同移動式切断機の右側面図である。
【図４】同移動式切断機の背面図である。
【図５】同移動式切断機の底面図である。
【符号の説明】
【００１９】
１  基体
２  切断手段
３  移動手段
３ａ  シリンダ
３ｂ  ガイドレール
３ｃ  取付アーム
３ｄ  ボルト
４  プーリー
５  モーター
【図１】
0003135278.tif 000003
【図２】
0003135278.tif 000004
【図３】
0003135278.tif 000005
【図４】
0003135278.tif 000006
【図５】
0003135278.tif 000007